(57)【要約】【課題】漢字の効率的な入力法を提供する。【解決手段】漢字の１文字に対して後続する文字の多数の組合せを保存する既存ユニットの常用後続文字リストと、これらに無い後続文字の組合せをこれらの漢字の入力時に保存する自作後続文字リストをデータベースとする。  １文字目の入力操作に対して対応する後続文字が自作後続文字リストにない場合、常用後続文字リストから相同する漢字を抽出してモニター上に表示し、そのリストから選択して入力する。選択された文字は、次回から先頭に表示される。また、後続文字が無い場合、或いはこの後続文字に続く後続文字が無い場合、入力装置により個別に入力し、その文字の組合わせは自作後続文字リストに保存され、次回に同じ文字を入力すると優先的にその後続文字として抽出されてモニター上に表示されるため、自作後続文字リストに蓄積され、充実するにつれて、入力操作の効率が向上する。【選択図】  図2
2007058860.tif 000002
【特許請求の範囲】
【請求項１】
キーボードなどの入力操作装置、モニター用表示ユニット、文字の組合わせからなる用語を収集した常用後続文字リスト、該リストを保存する既存ユニット、単独に入力した文字の組合わせからなる用語を収集した自作後続文字リスト、既存ユニットの常用後続文字リスト及び自作後続文字リスト中に入力した文字に続く適切な後続文字があるか否かを判断する識別ユニット、単独に入力した文字の組合わせからなる用語を収集して自作後続文字リストに保存する採集ユニット、入力した文字とそれに対応して抽出された後続文字のリストを対応して示す表示ユニット上のモニターソフトキーボード、
から構成される入力装置を用い、
(a)該入力操作装置を用いて、一文字目の漢字を入力し、
(b)該識別ユニットより、該採集ユニットの自作後続文字リストに、適切な後続文    字を保存しているか否かを判断し、
(c)保存していない場合は、既存ユニットの常用後続文字リストより適切な後続文字を抽出し、該表示ユニットにより一文字目の漢字の後続文字リストをモニターソフトキーボードに表示し、また、保存してある場合は、ステップ(g)に進み、    
(d)表示された後続文字リスト中に適切な後続文字を見つけた場合、その文字を選択して入力を完了するとともに、（b）に戻り、引き続き次の漢字の後続文字を探し、
(e)適切な後続文字が見つからない場合、該入力操作装置より二文字目の漢字を入力し、
(f)該採集ユニットは、自動的にこの二文字目の漢字を、一文字目の漢字と対応して自作後続文字リストに保存し、次の文字入力に進むためにステップ(b)に戻り    、
(g)該既存ユニットの常用後続文字リスト及び採集ユニットの自作後続文字リストより、該一文字目の漢字と対応する全ての後続文字リストを抽出し、該表示ユニットより該モニターソフトキーボードに表示し、
(h)表示された漢字リストより後続文字を見つけた場合、その文字を選択して入力を完了するとともに、次の文字入力のためにステップ(ｂ)に進み、及び
(i)適切な後続文字が無かった場合、ステップ(e)に戻る、
ことを特徴とする漢字後続文字入力法。
【請求項２】
前記常用後続文字リストは、漢字のフレーズのどの文字でも必ず前後二文字が関連する特性に基づき、前の文字をメインに、常用の後続文字を整理して前の文字に対応する常用後続文字リストとし、前記自作後続文字リストは、入力された漢字に対する後続文字が常用後続文字リストに見つからない場合、該当する後続文字を入力した後、該後続文字を一つの自作の後続文字として対応する漢字の自作後続文字リストに保存することを特徴とする請求項1記載の漢字後続文字入力法。
【請求項３】
前記表示ユニットの表示方法は、後続文字リストの字間に間隔を空ける、或は空けない、或は文字の前に符号、数字或はアルファベットをつける、或は後続文字リストを二次元配列の表で表し、数字或は符号、或はアルファベットで座標を記し、或は符号、或は数字、或はアルファベットで各後続文字の位置を表示し、字数が多い場合は、ページを増やして表示、或は其の他のストリングで表示することを特徴とする請求項1記載の漢字後続文字入力法。
【請求項４】
前記入力操作装置は、キーボード設備のボタン、又はマウス、或は其の他の文字選択手段によることを特徴とする請求項1記載の漢字後続文字入力法。
【請求項５】
前記表示ユニットにて表示する選択項目の並び順は、入力された漢字に対応し、選択された後続文字は、次回に同様の一文字目の漢字の後続文字リストを表示する際、表示位置の一番前に表示されることを特徴とする請求項1記載の漢字後続文字入力法。
【発明の詳細な説明】
【技術分野】
【０００１】
本発明は、漢字の後続文字の入力法に関し、特に漢字の前後文字の関連により作られた既存ユニットの単語リストを応用し、且つ先に入力した漢字を利用して自動的に採集ユニットの単語リストを増やすことができる。更に、表示ユニットの並び順により、前の文字があれば、後続の文字を探し当てられる可能性を引き上げ、モニターに表示されたモニターソフトキーボード（入力漢字と単語リストから抽出された選択候補漢字のリスト表）のみを見て漢字を選択して入力する回数を増やすことを特徴とする漢字入力法に関する。
【背景技術】
【０００２】
現在、電卓、PDA、携帯電話、リモコンなどモニター付きの電子用品に、漢字を入力するには、主に単一の漢字や、語句を入力する方法によっている。単一の漢字は、ピンイン（中国語のローマ字表記）、画数、手書きなど複雑な入力法によるが、語句の入力は、比較的簡単である。語句の種類は、常用の語句、或は特定意義の語句があり、語句を入力する方法は、関連言葉や関連単語などのように、一つの漢字を入力すれば、その文字で始まる複数の語句を表示してそれらから選択できる。また、ピンイン、画数、数字コードなどのように、語句を特定の方法でコード化し、コードを入力して語句を見つけるなどの方法がある。上述の方法で逐次単一漢字を入力する回数を減らし、入力スピードをアップする効果が得られる。しかし、語句と語句の間の接続詞は、尚も逐次に単一の漢字を入力しなければ、語句を繋いで一文にすることができない。よって、単一の漢字を入力する回数は多くなり、入力のスピードを改善するには制限がある。また、コードに画数、数字コードなどが入った特定コードを使用し、語句を探すには、予め学習及び特定コードを記憶していないと使用できない。或は、各文字のピンインの一つ目のアルファベットのコードなどのように、コードを入力後、全てのコードの中から、相当する語句を調べてから初めて、使用する語句があるか否かが分かる。もし使用できる語句がない場合、語句の漢字を全て改めて入力しなければならず、複雑な上時間を浪費する。また、単語リストの中にない語句は、自作しなければならない。このため、スピードが遅くなるだけでなく、操作上の不便も多い。
【特許文献１】特開２００４−１３２２１号公報
【特許文献２】特開２００２−３２４０６４号公報
【発明の開示】
【発明が解決しようとする課題】
【０００３】
モニター付き電卓、PDA、携帯、テレビのリモコンなど、表示装置のある家庭電気機器に漢字を入力する際、漢字の入力をもっと簡易化し、単一の漢字を入力するスピードを上げ、操作の回数を減らすために、本発明は、漢字の前後文字の関連関係を応用した漢字後続文字の入力法に関するものである。該入力法は、入力された一文字に対応する後続文字リストが作られ、自動的に採集を行い、文字リストの量を増やす。単語を自ら作らなくても、前の文字があれば、後ろの文字が見つかり、モニターを見て漢字を選択入力する回数を増やすことで、入力スピードを速めると同時に、コードを記憶する必要がなく、操作手順を簡易化し、簡単で迅速な入力効果が得られる。
【課題を解決するための手段】
【０００４】
上述の目的を解決するために、本発明は漢字後続文字入力法を提供するものであり、下記の手順が含まれている。漢字の後続文字の入力法は、モニターを持ち、漢字を用いて入力できる電子機器に使用する。漢字を一文字入力した後、常用後続文字リスト及び、或は自作後続文字リストの中から取り出し、及び、或はモニターにて入力した漢字の後続文字リストを選択項目として現れ、次の漢字を選択することが特徴である。
【０００５】
本発明の後続文字入力法にある常用後続文字リストは、漢字の文中にある全ての文字に後続の文字がある特性により、前の文字をメインに、常用の後続文字を整理し、前の文字と対応する常用後続文字リストを提供する。
【０００６】
本発明の後続文字入力法にある自作後続文字リストは、入力した漢字の後続文字が、常用の後続文字リストで見つからない場合、後続文字を入力したあと、それを自作の後続文字として設定し、入力した漢字に対応する後続文字の自作文字リストに組み入れる。
【０００７】
本発明の後続文字入力法にある選択項目の表示方法は、後続文字リストは間隔を空ける、或は空けない。或は文字の前に符号、数字或はアルファベットをつける。或は後続文字リストを二次元配列の表で表し、数字或は符号、或はアルファベットで座標を記し、或は符号、或は数字、或はアルファベットで各後続文字の位置を表示し、字数が多い場合は、ページを増やして表示、或は其の他のストリングで表示する。
【０００８】
本発明の後続文字入力法にある選択項目の選択方法は、キーボード設備で選択、或はマウスでクリック、或は他の方法で選択する。
【０００９】
本発明の後続文字入力法にある表示される選択項目の並び順は、相同の漢字を入力した場合、前回選択された後続文字が一番初めに表示される。
【００１０】
本発明は、上記の技術を開発し、漢字のフレーズにある前後文字の関連特性に基づき、大量の漢字文章フレーズを集めて分析を行い、各フレーズの一文字目から始め、各文字の前後二文字を一つの単語として、関連のある二文字の単語を整理した。整理した二文字の単語を出現回数の比率に基づいて並べ替え、出現回数の頻度の高い文字を前のほうに並べるようにして作られたのが、既存ユニットの常用後続文字リストである。入力装置より一文字目の漢字を入力したあと、識別ユニットより、採集ユニットに自作後続文字リストがないと判断した場合、既存ユニットの常用後続文字リストより、一文字目の漢字と対応する全ての後続文字を取り出し、更に表示ユニットよりモニターにキーボードで選択項目を表示し、選択をする。適切な二文字目があれば、直接選択して入力する。適切な文字がない場合、入力装置を用いて、二文字目の漢字を入力すると同時に、該漢字を一文字目の漢字の自作後続文字単語リストとして採集ユニットに保存される。このように自動的に採集ユニットの自作後続文字リストを増やし、常用後続文字リストにない後続文字を補い、自ら単語を作らなくても良い。次回再び相同の漢字を一文字目として入力する際、識別ユニットより、採集ユニットの自作後続文字リストに対応する漢字があると判断すれば、既存ユニットにある常用後続文字リスト及び採集ユニットの自作後続文字リストの中から検索し、一文字目の漢字と対応する全ての後続文字リストを、表示ユニットによりモニターに表示し、キーボードの選択項目より選択する。言葉使いの習慣により、過去に使った文字が、再度選択される確率が非常に高いため、表示ユニットは前回一文字目の後続文字として選択された漢字を、今回は全ての後続文字リストの初めに表示することにより、選択しやすく、入力のスピードが向上する。二文字目の漢字を入力した後、継続して入力する場合は、上述のステップを繰り返し、後続文字をさがし、三文字目の漢字を入力していく。入力する字数が多いほど、採集ユニットの自作後続文字リストが自動的に多くの後続文字を記録するため、モニター上の表示を見るだけで、漢字を選択できる確率と入力のスピードが自然にアップする。
【発明の効果】
【００１１】
入力の過程で自動的に採集ユニットの自作後続文字リストが増加し、自ら単語を作る必要がなくても、前の文字に対応する後の文字が見つかる可能性が高くなるため、入力する漢字の殆どが、簡単に連続してモニターのキーボードから後続文字を見つけ、直接選択して入力するため、単一の漢字を入力する回数を減らし、有効的に入力スピードを速める。また、モニターを見て文字を選択するため、特別に記憶すべきものがなく、また、予めコードを入力してから語句を見つけ、見つからない場合は新たに語句を入力する必要がないため、大幅に入力法の操作を簡易化し、漢字の入力を簡単便利且つ迅速に出来る目的に達する。
【発明を実施するための最良の形態】
【００１２】
本発明の漢字後続文字入力法の構成を明確に示すため、以下図に沿って詳細な説明を行う。以下の実施例の詳細な説明により本発明の保護範囲が限定されるものではない。本発明の申請する特許範囲に基づく変化や修正は全て、本発明の保護範囲に属する。
【００１３】
図1が示すのは、本発明の漢字後続文字入力法は、電卓、携帯端末、ＰＤＡやテレビリモコンを含む家電用品のリモコンなど、表示用のモニターがあり、且つ漢字で入力可能な電子用品に適用できる。漢字後続文字入力法は、入力装置21、後続文字を識別する識別ユニット22、関連性のある常用後続文字を文字リストに保存する既存ユニット23、関連性のある後続文字を自作文字リストから選択する採集ユニット24、モニターで表示する表示ユニット25、常用後続文字リスト26、自作の後続文字リスト27、及び編集ユニット28とモニターソフトキーボード29から構成される。
【００１４】
図2が示すのは、本発明が漢字の後続文字入力を処理するフローチャートである。入力装置21より一文字目の漢字100を入力した後、まず識別ユニット22が採集ユニットの自作後続文字リスト27に、自動的に後続文字110を保存しているか否かを判断する。無い場合は既存ユニット23の常用後続文字リスト26の中から抽出（ピックアップ）し、表示ユニットにより、一文字目の漢字の後続文字リスト120をモニターソフトキーボード29に表示し、選択する。
適切な後続の文字が見つかれば130、引き続き二文字目の漢字の後続文字140を探す。見つからない場合は、入力装置21より二文字目の漢字150を入力し、同時に採集ユニット24は自動的に該二文字目の漢字150を、一文字目の漢字に対応する自作後続文字リスト160に保存し、引き続き二文字目の漢字の後続文字140を探す。識別ユニット22が、採集ユニット24の自作後続文字リスト27に既に後続文字を保存していると判断した場合、既存ユニット23の常用後続文字リスト26及び採集ユニット24の自作後続文字リスト27の中から一文字目の漢字に対応する全ての後続文字リストを抽出し、表示ユニット25によりモニターソフトキーボード29に表示し、二文字の漢字を選択する170。適切な後続文字130が見つかれば、引き続き二文字目の後続文字140を探す。見つからない場合は、入力装置21より二文字目の漢字150を入力し、同時に採集ユニット24が自動的に二文字目の漢字を、一文字目の漢字に対応する自作後続文字リスト160の中に保存した後、引き続き二文字目の漢字の後続文字140を探す。
【００１５】
図3から図10に示すのは、本発明の後続漢字を入力する実施例である。「時代在進歩」の一文を入力する場合、「時代」と「進歩」は常用詞（成語として一定の意味を有する。）に属すため、公知技術の連想詞に最も近い操作手順は、
1.まず「時」を入力し、図3のように、「時」を一文字目とする常用詞の後続文字200を表示する。
2.図3の下に表示された後続文字200の中から「代」を選択し、常用詞「時代」の入力を完了し、同時に図4のように、「代」を一文字目とする後続文字200を表示する。
3.「代在」は常用詞（成語として意味をなさない。）ではないため、図4の下に表示する後続文字200の中には「在」の文字がない。単独で「在」を入力すると、図5のように下に 「在」を一文字目とする常用詞の後続文字200を表示する。
4.「在進」は常用詞ではないため、図5の下に表示する後続文字200の中には「進」の文字がない。単独で「進」を入力すると、図6のように下に「進」を一文字目とする常用詞の後続文字200を表示する。
5.図6の下にある後続文字200から「歩」を抽出し、常用詞「進歩」の入力を完了し、図7のように同時に 「歩」 を一文字目とする常用詞の後続文字200を表示し、入力を完了する。
【００１６】
単独で複雑な漢字入力を3回入力し、モニターに抽出表示された漢字を簡単な選択操作により2回入力する。
【実施例】
【００１７】
本発明は、大量の漢字の文章とフレーズについて分析を行い、既存ユニットの常用後続文字リストを作成し、使用過程で採集ユニットは自動的に自作後続文字リストに、「代在」及び「在進」を自作後続文字リストに保存するために、これらの蓄積された保存リストを利用する簡略化された操作手順は、
1.単独で「時」を入力し、図3のように一文字目が「時」である後続文字200を表示  。
2.図3の下の後続文字200より「代」を選択し、「時代」の入力を完了し、図8のように、同時に「代」を一文字目とする後続文字200を表示する。
3.図8の下の後続文字200より「在」を選択し、「代在」の入力を完了し、図9のように、同時に「在」を一文字目とする後続文字200を表示する。
4.図9の下の後続文字200より「進」を選択し、「在進」の入力を完了し、図6のように、同時に「進」を一文字目とする後続文字200を表示する。
5.図6の下の後続文字200より「歩」を選択し、「進歩」の入力を完了し、図7のように、同時に「歩」を一文字目とする後続文字200を表示し、入力を完了する。
【００１８】
後続文字を選択するスピードを向上するために、選択された文字は、次回表示ユニットが一番前に表示する。図10が示すように、選択された「代」は後続文字200の一番前に表示される。
【００１９】
本発明の選択項目の表示方法とは、表示された後続文字リストの字間に間隔を空ける、或は空けない、或は文字の前に符号、数字或はアルファベットをつける、或は後続文字リストを二次元配列の表で表し、数字或は符号、或はアルファベットで座標を記し、或は符号、或は数字、或はアルファベットで各後続文字の位置を表示し、字数が多い場合は、ページを増やして表示、或は其の他のストリングで表示する。
【００２０】
下記の表は、実施例の「時」の後続文字リストが、モニターソフトキーボードにある選択項目を表示した表である。
【表１】
2007058860.tif 000003
【００２１】
本発明は、複雑な入力法を用いて、単一漢字を入力するのは一回のみ。便利なモニターソフトキーボードを用いて漢字を選択して入力すること4回で入力を完了し、入力のスピードは明らかに公知技術の連想詞による場合より速い。
【図面の簡単な説明】
【００２２】
【図１】本発明の漢字後続文字入力法の功能原理図である。
【図２】本発明の漢字後続文字入力法工作原理フローチャート図である。
【図３】本発明の漢字後続文字入力法の中で、「時」を入力した後、「時」の常          用単語、或は後続文字の実施例を表示したモニター画面図である。
【図４】本発明の漢字後続文字入力法、図3の実施例に基づき、「代」を選択し          た後、「代」の常用詞、或は後続文字を表示したモニター画面図である。
【図５】本発明の漢字後続文字入力法、図4の実施例に基づき、「在」を入力し          た後、「在」の常用詞、或は後続文字を表示したモニター画面図である。
【図６】本発明の漢字後続文字入力法、図5の実施例に基づき、「進」を入力し          た後、「進」の常用詞、或は後続文字を表示したモニター画面図である。
【図７】本発明の漢字後続文字入力法、図6の実施例に基づき、「歩」を選択し          た後、「歩」の常用詞或は後続文字を表示したモニター画面図である。
【図８】本発明の漢字後続文字入力法、図3の実施例に基づき、「代」を選択し          た後、「代」の後続文字を表示したモニター画面図である。
【図９】本発明の漢字後続文字入力法、図８の実施例に基づき、「在」を選択し          た後、「在」の後続文字を表示したモニター画面図である。
【図１０】本発明の漢字後続文字入力法、図3の実施例に基づき、二回目に「時」          を入力した「時」、一回目に選んだ「代」が、文字リストの一番前に表示          されるモニター画面図である。
【符号の説明】
【００２３】
100  一文字目の漢字を入力
110  識別ユニットが自作後続文字リストに文字があるか否かを判断する。
120  既存ユニットの常用後続文字リストから抽出し、表示ユニットより一文字目の漢    字の後続文字リストを表示する。
130  適切な後続文字が見つかる。
140  引き続き二文字目の漢字の後続文字を探す。
150  入力装置より二文字目の漢字を入力する。
160  採集ユニットが自動的に二文字目の漢字を、一文字目の漢字と対応する自作の後    続文字リストに保存する。
170  既存ユニットの常用後続文字リスト及び採集ユニットの自作後続文字リストの中    から、一文字目の漢字と対応する全ての後続文字リストを抽出し、表示ユニット    よりモニターに選択可能の二文字目の漢字を表示する。
200  モニターに表示される後続文字。
21  入力装置
22  識別ユニット
23  既存ユニット
24  採集ユニット
25  表示ユニット
26  常用後続文字リスト
27  自作後続文字リスト
28  編集ユニット
29  モニターソフトキーボード
【図１】
2007058860.tif 000004
【図２】
2007058860.tif 000005
【図３】
2007058860.tif 000006
【図４】
2007058860.tif 000007
【図５】
2007058860.tif 000008
【図６】
2007058860.tif 000009
【図７】
2007058860.tif 000010
【図８】
2007058860.tif 000011
【図９】
2007058860.tif 000012
【図１０】
2007058860.tif 000013